Podtech/llm-jp-corpus-v4-ja_patent huggingface dataset:
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
サードパーティ販売業者を通じて入手可能な製品に関する情報を含む通信をソーシャルネットワーキングシステムのユーザに提供する、通信提供ステップと、
提供された前記通信と併せて、前記サードパーティ販売業者に関連付けられているショッピングカートに前記製品を追加する選択可能なオプションを提供するステップと、
前記ユーザによる前記選択可能なオプションの選択に続いて、前記サードパーティ販売業者に関連付けられている前記ショッピングカートに前記製品を追加する要求を提供する、要求提供ステップとを備える、方法。
【請求項２】
前記通信提供ステップに先立って、前記製品にタグ付けする要求を受信するステップと、
前記製品のタグを前記通信に含めるステップとをさらに備える、請求項１に記載の方法。
【請求項３】
前記通信提供ステップは、前記ユーザに関連付けられているニュースフィード内に前記通信を提供するステップを含む、請求項１に記載の方法。
【請求項４】
前記選択可能なオプションの前記選択を表したデータを受信するステップをさらに備える、請求項１に記載の方法。
【請求項５】
前記サードパーティ販売業者に関連付けられているソフトウェアコンポーネントからＡＰＩ呼び出しを受信するステップと、
前記ＡＰＩ呼び出しに応答して、前記サードパーティ販売業者に関連付けられている前記ソフトウェアコンポーネントに前記要求を提供するステップとをさらに備える、請求項１に記載の方法。
【請求項６】
前記サードパーティ販売業者に関連付けられているソフトウェアコンポーネントによる後のアクセスのため、前記要求に関するデータを送信して前記ユーザに関連付けられている第２のデバイスに記憶する、記憶ステップをさらに備える、請求項１に記載の方法。
【請求項７】
前記記憶するステップは、前記第２のデバイスにクッキーを記憶するステップを含む、
請求項６に記載の方法。
【請求項８】
前記要求提供ステップは、前記ソーシャルネットワーキングシステムのサーバが、前記サードパーティ販売業者に関連付けられているサーバに前記要求を送信するステップを含む、請求項１に記載の方法。
【請求項９】
前記通信提供ステップは、前記ユーザに関連付けられているコンピューティングデバイスにより表示されたユーザインターフェースによって、前記通信を提供するステップを含む、請求項１に記載の方法。
【請求項１０】
前記ユーザに関連付けられている前記コンピューティングデバイスは、モバイルデバイスを含む、請求項９に記載の方法。
【請求項１１】
前記ソーシャルネットワーキングシステムの別のユーザに関連付けられているユーザアクションに基づいて、前記通信を生成するステップをさらに備える、請求項１に記載の方法。
【請求項１２】
前記ユーザアクションは、前記他のユーザによる前記通信の構成を含み、前記製品に関する前記情報は、前記ソーシャルネットワーキングシステム内の製品ノードに記憶される、請求項１１に記載の方法。
【請求項１３】
前記ユーザアクションは、前記ソーシャルネットワーキングシステムの前記他のユーザが前記製品を好む旨を示す標識を含む、請求項１１に記載の方法。
【請求項１４】
前記他のユーザは、前記ソーシャルネットワーキングシステムによって前記ユーザにつながっている、請求項１１に記載の方法。
【請求項１５】
前記他のユーザは、前記製品に関連付けられている販売業者である、請求項１１に記載の方法。
【請求項１６】
提供された前記通信と併せて、前記ソーシャルネットワーキングシステムから前記製品を購入する選択可能なオプションを提供するステップをさらに備える、請求項１に記載の方法。
【請求項１７】
命令を記憶する１以上のサーバデバイスを備えるシステムであって、前記命令は、少なくとも１つのプロセッサにより実行されるとき、
サードパーティ販売業者を通じて入手可能な製品に関する情報を含む通信をソーシャルネットワーキングシステムのユーザに提供する、通信提供ステップと、
提供された前記通信と併せて、前記サードパーティ販売業者に関連付けられているショッピングカートに前記製品を追加する選択可能なオプションを提供するステップと、
前記ユーザによる前記選択可能なオプションの選択に続いて、前記サードパーティ販売業者に関連付けられている前記ショッピングカートに前記製品を追加する要求を提供する、要求提供ステップとを、前記システムに行わせる、システム。
【請求項１８】
前記命令は、前記少なくとも１つのプロセッサにより実行されるとき、
前記通信提供ステップに先立って、前記製品にタグ付けする要求を受信するステップと、
前記製品のタグを前記通信に含めるステップとを、前記システムにさらに行わせる、請求項１７に記載のシステム。
【請求項１９】
前記命令は、前記少なくとも１つのプロセッサにより実行されるとき、前記ユーザに関連付けられているニュースフィード内に前記通信を提供するステップを前記システムにさらに行わせる、請求項１７に記載のシステム。
【請求項２０】
前記命令は、前記少なくとも１つのプロセッサにより実行されるとき、前記ソーシャルネットワーキングシステムの別のユーザに関連付けられているユーザアクションに基づいて、前記通信を生成するステップを前記システムにさらに行わせる、請求項１７に記載のシステム。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
グルコースセンサであって、
電極の表面と接触する架橋された親水性共重合体と、
前記架橋された親水性共重合体内に埋め込まれたグルコース感知要素と
を含み、
前記架橋された親水性共重合体は、主鎖を含み、
前記主鎖は、
それぞれ第１親水性側鎖を有する第１メタクリル酸由来単位と、
それぞれ第２親水性側鎖を有する第２メタクリル酸由来単位であって、前記第１および第２側鎖は同一または異なる、第２メタクリル酸由来単位と、
第３メタクリル酸由来単位と、
異なる主鎖における第３メタクリル酸由来単位間の親水性架橋と
を含み、
前記架橋された親水性共重合体は、実質的に温度不依存のグルコース透過性を有し、前記グルコースセンサは、ある温度範囲にわたり実質的に温度不依存の信号を生成し、前記グルコースセンサは１０００μＭ以下のグルコース濃度を測定可能である、
グルコースセンサ。
【請求項２】
前記架橋された親水性共重合体は、１％／℃未満の温度係数を有する、請求項１に記載のセンサ。
【請求項３】
前記センサにより生成された前記信号は、一定のグルコース濃度における前記温度範囲にわたり互いの９０％以上の範囲内にある、請求項１に記載のセンサ。
【請求項４】
前記第１メタクリル酸由来単位は、式（Ｉａ）の構造を有し、
【化１】
2016539337.tif 000001
式中、Ｘは−Ｏ−、−ＮＲ’−または−Ｓ−、
ｙは０〜１０、
Ｒ1は水素、−Ｃ１−Ｃ１２アルキル、−Ｃ１−Ｃ１２アルキル−ＯＨ、−ＳｉＲ’３、−Ｃ（Ｏ）−Ｃ１−Ｃ１２アルキル、−Ｃ１−Ｃ１２アルキル−Ｃ（Ｏ）ＯＲ’であって、Ｒ’は−Ｃ１−Ｃ１２アルキルである、請求項１に記載のセンサ。
【請求項５】
前記第１メタクリル酸由来単位は、以下の構造を有する、
【化２】
2016539337.tif 000002
請求項１に記載のセンサ。
【請求項６】
前記第２メタクリル酸由来単位は、式（ＩＩ）の構造を有し、
【化３】
2016539337.tif 000003
式中、Ｙは−Ｏ−、−ＮＲ’−、または−Ｓ−、
Ｒ２は水素、−Ｃ１−Ｃ１２アルキル、−ＳｉＲ’３、−Ｃ（Ｏ）−Ｃ１−Ｃ１２アルキル、−Ｃ１−Ｃ１２アルキル−Ｃ（Ｏ）ＯＲ’であって、Ｒ’は水素または−Ｃ１−Ｃ１２アルキルであり、
ｚは０〜１０である、請求項１に記載のセンサ。
【請求項７】
前記第２メタクリル酸由来単位は、式（ＩＩ）の構造を有し、
【化４】
2016539337.tif 000004
式中、Ｙは−Ｏ−、−ＮＲ’−、または−Ｓ−、
Ｒ２は水素、−Ｃ１−Ｃ１２アルキル、−ＳｉＲ’３、−Ｃ（Ｏ）−Ｃ１−Ｃ１２アルキル、−Ｃ１−Ｃ１２アルキル−Ｃ（Ｏ）ＯＲ’であって、Ｒ’は水素または−Ｃ１−Ｃ１２アルキルであり、
ｚは約２〜約２５０の平均値である、請求項１に記載のセンサ。
【請求項８】
前記親水性架橋は、式（ＩＩＩａ）の構造を有し、
【化５】
2016539337.tif 000005
式中、ｗは０〜１０である、請求項１に記載のセンサ。
【請求項９】
前記親水性架橋は、式（ＩＩＩａ）の構造を有し、
【化６】
2016539337.tif 000006
式中、ｗは約２〜約２５０の平均値である、請求項１に記載のセンサ。
【請求項１０】
前記グルコース感知要素は、グルコースオキシダーゼを含む、請求項１に記載のセンサ。
【請求項１１】
前記架橋された親水性共重合体は、約２０μｍの厚さを有する、請求項１に記載のセンサ。
【請求項１２】
前記第１メタクリル酸由来単位は、２−ヒドロキシエチルメタクリル酸に由来し、
前記第２メタクリル酸由来単位は、式（ＩＩ）の構造を有し、
【化７】
2016539337.tif 000007
式中、ｚは約１０〜約１５の平均値であり、
前記親水性架橋は、式（ＩＩＩａ）の構造を有し、
【化８】
2016539337.tif 000008
式中、ｗは２であり、
前記グルコース感知要素は、グルコースオキシダーゼを含む、請求項１に記載のセンサ。
【請求項１３】
前記温度範囲は２５℃〜３５℃である、請求項１に記載のセンサ。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
照明要素であって、
長手方向軸と、対向する第１端及び第２端と、光出力領域と、湾曲断面とを有する中空の光ダクトと、
前記光出力領域に隣接した光透過領域を含む前記中空の光ダクトの内表面であって、前記光透過領域が、前記第１端に近接した第１位置から前記第２端に近接した第２位置までの前記長手方向軸に垂直の出力角に内在する、内表面と、
前記光出力領域に隣接して配設されていて、先細突出部を含む転向表面を有する転向フィルムであって、それぞれの先細突出部が前記中空の光ダクトの前記内部に隣接した頂点を有する、転向フィルムと、
を備え、前記中空の光ダクトを通って伝播し前記光透過領域と交差する光線が、前記中空の光ダクトを出て、前記転向フィルムを介して前記長手方向軸に対し実質的に垂直な方向へと方向変換されるようになっている、照明要素。
【請求項２】
前記内表面が、金属、金属合金、誘電フィルムスタック、又はそれらの組み合わせから選択される光反射表面を備える、請求項１に記載の照明要素。
【請求項３】
第１の光を前記中空の光ダクト内に入射することができ、前記第１端に近接して位置づけられた第１光源を更に備える、請求項１に記載の照明要素。
【請求項４】
前記第２端が反射体を備え、かつ前記出力角が前記第１位置から前記第２位置にかけて増加する、請求項１に記載の照明要素。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
核酸分子を含む免疫原性組成物であって、
（ａ）前記核酸分子が、配列番号１に記載の核酸配列の全長の少なくとも約９０％相同の核酸配列を含む、または、
（ｂ）前記核酸分子が、配列番号３に記載の核酸配列の全長の少なくとも約９０％相同の核酸配列を含む、免疫原性組成物。
【請求項２】
前記核酸分子が、配列番号１に記載の核酸配列を含む、請求項１に記載の免疫原性組成物。
【請求項３】
前記核酸分子が、配列番号３に記載の核酸配列を含む、請求項１に記載の免疫原性組成物。
【請求項４】
請求項１に記載の免疫原性組成物であって、さらに、
（ａ）配列番号２に記載のアミノ酸配列の全長の少なくとも約９０％相同のアミノ酸配列を含むペプチド、または、
（ｂ）配列番号４に記載のアミノ酸配列の全長の少なくとも約９０％相同のアミノ酸配列を含むペプチドを含む、前記免疫原性組成物。
【請求項５】
前記核酸分子が発現ベクターを含む、請求項１に記載の免疫原性組成物。
【請求項６】
前記核酸分子がウィルス粒子に組み込まれる、請求項１に記載の免疫原性組成物。
【請求項７】
医薬的に許容される賦形剤をさらに含む、請求項１に記載の免疫原性組成物。
【請求項８】
アジュバントをさらに含む、請求項１に記載の免疫原性組成物。
【請求項９】
核酸分子を含む免疫原性組成物であって、
（ａ）前記核酸分子が、配列番号２に記載のアミノ酸配列の全長の少なくとも約９０％
相同のアミノ酸配列を含むペプチドをコードする、または、
（ｂ）前記核酸分子が、配列番号４に記載のアミノ酸配列の全長の少なくとも約９０％
相同のアミノ酸配列を含むペプチドをコードする、免疫原性組成物。
【請求項１０】
前記核酸分子が、配列番号２に記載のアミノ酸配列を含む前記ペプチドをコードする、
請求項９に記載の免疫原性組成物。
【請求項１１】
前記核酸分子が、配列番号４に記載のアミノ酸配列を含む前記ペプチドをコードする、
請求項９に記載の免疫原性組成物。
【請求項１２】
請求項９に記載の免疫原性組成物であって、
（ａ）配列番号２に記載のアミノ酸配列の全長の少なくとも約９０％相同のアミノ酸配列を含むペプチド、または、
（ｂ）配列番号４に記載のアミノ酸配列の全長の少なくとも約９０％相同のアミノ酸配列を含むペプチドをさらに含む、前記免疫原性組成物。
【請求項１３】
前記核酸分子が発現ベクターを含む、請求項９に記載の免疫原性組成物。
【請求項１４】
前記核酸分子が、ウィルス粒子に組み込まれる、請求項９に記載の免疫原性組成物。
【請求項１５】
医薬的に許容される賦形剤をさらに含む、請求項９に記載の免疫原性組成物。
【請求項１６】
アジュバントをさらに含む、請求項９に記載の免疫原性組成物。
【請求項１７】
配列番号１に記載の核酸配列を含む核酸分子。
【請求項１８】
配列番号３に記載の核酸配列を含む核酸分子。
【請求項１９】
配列番号２に記載のアミノ酸配列を含むペプチド。
【請求項２０】
配列番号４に記載のアミノ酸配列を含むペプチド。
【請求項２１】
抗原を含む免疫原性組成物であって、前記抗原が、配列番号１または配列番号３によってコードされる、免疫原性組成物。
【請求項２２】
前記抗原が、配列番号１によってコードされる、請求項２１に記載の免疫原性組成物。
【請求項２３】
前記抗原が、配列番号３によってコードされる、請求項２１に記載の免疫原性組成物。
【請求項２４】
前記抗原が、配列番号２または配列番号４に記載のアミノ酸配列を含む、請求項２１に記載の免疫原性組成物。
【請求項２５】
前記抗原が、配列番号２に記載のアミノ酸配列を含む、請求項２４に記載の免疫原性組成物。
【請求項２６】
前記抗原が、配列番号４に記載のアミノ酸配列を含む、請求項２４に記載の免疫原性組成物。
【請求項２７】
ペプチドを含む免疫原性組成物であって、
（ａ）前記ペプチドが、配列番号２に記載のアミノ酸配列の全長の少なくとも約９０％
相同のアミノ酸配列を含む、または、
（ｂ）前記ペプチドが、配列番号４に記載のアミノ酸配列の全長の少なくとも約９０％
相同のアミノ酸配列を含む、免疫原性組成物。
【請求項２８】
前記ペプチドが、配列番号２に記載のアミノ酸配列を含む、請求項２７に記載の免疫原性組成物。
【請求項２９】
前記ペプチドが、配列番号４に記載のアミノ酸配列を含む、請求項２７に記載の免疫原性組成物。
【請求項３０】
中東呼吸器症候群コロナウィルス（ＭＥＲＳ‐ＣｏＶ）に対する免疫応答を、それを必要とする患者において誘導するための、請求項１、９、２１、または２７に記載の免疫原性組成物であって、前記患者に投与される、免疫原性組成物。
【請求項３１】
投与が、電気穿孔および注入のうちの少なくとも１つを含む、請求項３０に記載の免疫原性組成物。
【請求項３２】
中東呼吸器症候群コロナウィルス（ＭＥＲＳ‐ＣｏＶ）による感染を、それを必要とする患者において防御するための、請求項１、９、２１、または２７に記載の免疫原性組成物であって、前記患者に投与される、免疫原性組成物。
【請求項３３】
投与が、電気穿孔および注入のうちの少なくとも１つを含む、請求項３２に記載の免疫原性組成物。
【請求項３４】
中東呼吸器症候群コロナウィルス（ＭＥＲＳ‐ＣｏＶ）に対する治療を必要とする患者を治療するための、請求項１、９、２１、または２７に記載の免疫原性組成物であって、前記患者がそれによって１またはそれ以上のＭＥＲＳ‐ＣｏＶ株に対して耐性になる、免疫原性組成物。
【請求項３５】
投与が、電気穿孔および注入のうちの少なくとも１つを含む、請求項３４に記載の免疫原性組成物。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
以下の式（Ｉ）のアルキルフェノールエトキシレート誘導体により有機修飾されたアルミノケイ酸塩を含むマイコトキシン吸着剤。
【化１】
2016539949.tif 000001
ここで、Ｒは１〜２２個の炭素原子を備えたアルキルを表し、Ｘはハロゲンであり、ｎは９であり、Ｒ1はメチルであり、Ｒ2はメチルである。
【請求項２】
前記アルミノケイ酸塩が、テクトケイ酸塩、フィロケイ酸塩又は両者の混合物である、請求項１に記載のマイコトキシン吸着剤。
【請求項３】
Ｒが単鎖Ｃ9アルキル基である、請求項１に記載のマイコトキシン吸着剤。
【請求項４】
Ｒが単鎖Ｃ8アルキル基である、請求項１に記載のマイコトキシン吸着剤。
【請求項５】
Ｘが臭素又は塩素である、請求項１に記載のマイコトキシン吸着剤。
【請求項６】
前記アルキルフェノールエトキシレート誘導体が、以下の式（Ｉａ）を有する、請求項１に記載のマイコトキシン吸着剤。
【化２】
2016539949.tif 000002
【請求項７】
前記アルミノケイ酸塩が、材料１００グラム当たり少なくとも２０ミリ当量の陽イオン交換容量を有する、請求項１〜６のいずれか１項に記載のマイコトキシン吸着剤。
【請求項８】
前記アルミノケイ酸塩が、材料１００グラム当たり５５ミリ当量の陽イオン交換容量を有する、請求項１〜７のいずれか１項に記載のマイコトキシン吸着剤。
【請求項９】
前記アルキルフェノールエトキシレート誘導体が、前記アルミノケイ酸塩の陽イオン交換容量の２５％〜１２０％の割合で用いられる、請求項１〜８のいずれか１項に記載のマイコトキシン吸着剤。
【請求項１０】
請求項１〜９のいずれか１項に記載のマイコトキシン吸着剤を含む、動物用配合飼料用の添加剤。
【請求項１１】
請求項１〜９のいずれか１項に記載のマイコトキシン吸着剤を含む、動物用配合飼料用の添加剤を調製するための事前混合物。
【請求項１２】
ヒト以外の動物について、タイプＡ及び／又はタイプＢトリコテセンによるトリコテセン中毒に関連する、１つ以上の有害作用又は消化管における症状を治療又は予防する方法であって、前記治療又は予防を必要とする対象に対して治療上有効量の請求項１〜９のいずれか１項に記載のマイコトキシン吸着剤を含む添加剤を含む動物用配合飼料を投与することを含む、方法。
【請求項１３】
タイプＡ及び／又はタイプＢトリコテセンによるトリコテセン中毒に関連する、前記１つ以上の有害作用又は消化管における症状が、嘔吐を含む、請求項１２に記載の方法。
【請求項１４】
タイプＡ及び／又はタイプＢトリコテセンによるトリコテセン中毒に関連する、前記１つ以上の有害作用又は消化管における症状が、下痢を含む、請求項１２に記載の方法。
【請求項１５】
タイプＡ及び／又はタイプＢトリコテセンによるトリコテセン中毒に関連する、前記１つ以上の有害作用又は消化管における症状が、消化管における炎症を含む、請求項１２に記載の方法。
【請求項１６】
タイプＡ及び／又はタイプＢトリコテセンによるトリコテセン中毒に関連する、前記１つ以上の有害作用又は消化管における症状が、消化管における出血を含む、請求項１２に記載の方法。
【請求項１７】
タイプＡ及び／又はタイプＢトリコテセンによるトリコテセン中毒に関連する、前記１つ以上の有害作用又は消化管における症状が、消化管における壊死を含む、請求項１２に記載の方法。
【請求項１８】
タイプＡ及び／又はタイプＢトリコテセンによるトリコテセン中毒に関連する、前記１つ以上の有害作用又は消化管における症状が、ジアセトキシスシルペノール（ＤＡＳ）、ＨＴ−２トキシン（ＨＴ−２）、Ｔ−２トキシン（Ｔ−２）、ネオソラニオール（ＮＥＯ）、デオキシニバレノール（ＤＯＮ）すなわちボミトキシン、３−アセチルデオキシニバレノール（３−ＡｃＤＯＮ）、ニバレノール（ＮＩＶ）、フザレノン−Ｘ（Ｆｕｓ−Ｘ）、トリコテコロン（ＴＲＩ）及びそれらの組み合わせにより構成される群から選択される、請求項１２に記載の方法。
【請求項１９】
ヒト以外の動物について、タイプＡ及び／又はタイプＢトリコテセンによるトリコテセン中毒に関連する、有害作用又は消化管における症状を低減又は排除する方法であって、前記低減又は排除を必要とする対象に対して治療上有効量の請求項１〜９のいずれか１項に記載のマイコトキシン吸着剤を含む添加剤を含む動物用配合飼料を投与することを含む、方法。
【請求項２０】
前記有害作用が、デオキシニバレノール（ＤＯＮ）すなわちボミトキシンの有害作用を含む、請求項１９に記載の方法。
【請求項２１】
前記有害作用が、Ｔ−２トキシンの有害作用を含む、請求項１９に記載の方法。
【請求項２２】
ヒト以外の動物について、タイプＡ及び／又はタイプＢトリコテセンによるトリコテセン中毒に関連する、１つ以上の有害作用又は消化管における１つ以上の症状を治療又は予防する方法であって、前記治療又は予防を必要とする対象に対して治療上有効量の請求項１〜９のいずれか１項に記載のマイコトキシン吸着剤を含む添加剤を含む動物用飼葉を投与することを含む、方法。
【請求項２３】
タイプＡ及び／又はタイプＢトリコテセンによるトリコテセン中毒に関連する、前記１つ以上の有害作用又は消化管における症状が、嘔吐を含む、請求項２２に記載の方法。
【請求項２４】
タイプＡ及び／又はタイプＢトリコテセンによるトリコテセン中毒に関連する、前記１つ以上の有害作用又は消化管における症状が、下痢を含む、請求項２２に記載の方法。
【請求項２５】
タイプＡ及び／又はタイプＢトリコテセンによるトリコテセン中毒に関連する、前記１つ以上の有害作用又は消化管における症状が、消化管における炎症を含む、請求項２２に記載の方法。
【請求項２６】
タイプＡ及び／又はタイプＢトリコテセンによるトリコテセン中毒に関連する、前記１つ以上の有害作用又は消化管における症状が、消化管における出血を含む、請求項２２に記載の方法。
【請求項２７】
タイプＡ及び／又はタイプＢトリコテセンによるトリコテセン中毒に関連する、前記１つ以上の有害作用又は消化管における症状が、消化管における壊死を含む、請求項２２に記載の方法。
【請求項２８】
請求項１〜９のいずれか１項に記載のマイコトキシン吸着剤の調製のためのプロセスであって、以下のステップを備えるプロセス。
ａ）材料１００グラム当たり少なくとも２０ミリ当量の陽イオン交換容量を備えたアルミノケイ酸塩を、前記アルミノケイ酸塩の２５％〜１２０％の割合の式（Ｉ）のアルキルフェノールエトキシレート誘導体と、水性媒体中にて１５℃〜８５℃の間の温度で０．２５〜３時間該水性媒体を撹拌しながら接触させるステップ、
ｂ）濾過により分離するステップ、
ｃ）４０℃〜１５０℃の間の温度で乾燥させるステップ、及び、
ｄ）１００〜３２５盤の間のメッシュにより破砕又は粉砕するステップ
【請求項２９】
前記アルミノケイ酸塩が、材料１００グラム当たり５５ミリ当量の陽イオン交換容量を有する、請求項２８に記載のプロセス。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
１種以上のアナプレロティック剤を含む、動物における運動ニューロン疾患（ＭＮＤ）の治療剤、予防剤、及び／又は発症の遅延剤であって、前記１種以上のアナプレロティック剤が、前記動物に投与され、それによって、前記動物において前記ＭＮＤが治療され、予防され、及び／又は前記ＭＮＤの発症が遅延される、前記剤。
【請求項２】
ＭＮＤが、筋萎縮性側索硬化症（ＡＬＳ）、原発性側索硬化症（ＰＬＳ）、進行性筋萎縮症（ＰＭＡ）、進行性球麻痺（ＰＢＰ）、仮性球性麻痺、又は脊髄性筋萎縮症（ＳＭＡ）である、請求項１に記載の剤。
【請求項３】
ＭＮＤがＡＬＳである、請求項１に記載の剤。
【請求項４】
１種以上のアナプレロティック剤が、グルタミン酸、グルタミン、ピルビン酸、及び１種以上のプロピオニルＣｏＡの前駆体からなる群から選択される、請求項１〜３のいずれか１項に記載の剤。
【請求項５】
１種以上のプロピオニルＣｏＡの前駆体が、不均一な鎖長の脂肪酸、トリグリセリド、Ｃ５ケトン体、リン脂質、分岐鎖アミノ酸及びそれらの組み合わせからなる群から選択される、請求項４に記載の剤。
【請求項６】
トリグリセリドが、１種以上の式Ｉ：
【化１】
2016539935.tif 000001
の化合物であり、
式中、
Ｒ１、Ｒ２及びＲ３は、独立してアルキル、アルケニル又はアルキニルから選択される、請求項５に記載の剤。
【請求項７】
Ｒ１、Ｒ２及びＲ３が、独立してＣ１〜Ｃ２０アルキル、アルケニル又はアルキニルから選択される、請求項６に記載の剤。
【請求項８】
Ｒ１、Ｒ２及びＲ３が同一であり、Ｃ５、Ｃ７及びＣ９アルキルからなる群から選択される、請求項７に記載の剤。
【請求項９】
式Ｉの化合物が、トリペンタノイン、トリヘプタノイン及びトリノナノインから選択される、請求項７に記載の剤。
【請求項１０】
化合物がトリヘプタノインである、請求項９に記載の剤。
【請求項１１】
１種以上のアナプレロティック剤が、動物にとっての食餌由来カロリー摂取量の少なくとも５％を含む量で、前記動物に与えられる、請求項１〜１０のいずれか１項に記載の剤。
【請求項１２】
１種以上のアナプレロティック剤が、動物にとっての食餌由来カロリー摂取量の少なくとも３０％を含む量で、前記動物に与えられる、請求項１１に記載の剤。
【請求項１３】
動物がほ乳動物である、請求項１〜１２のいずれか１項に記載の剤。
【請求項１４】
ほ乳動物がヒトである、請求項１３に記載の剤。
【請求項１５】
１種以上のアナプレロティック剤が、経口投与される、請求項１〜１４のいずれか１項に記載の剤。
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
以下の式Ｃ：
2016539915.tif 000001
の化合物およびその塩および溶媒和物。
【請求項２】
以下の式ＣｏｎｊＣ：
2016539915.tif 000002
（ただし、式中、ＣＢＡは細胞結合剤を表す）、
の複合体。
【請求項３】
前記細胞結合剤は、抗体またはその活性断片である、請求項２に記載の複合体。
【請求項４】
前記抗体または抗体断片は、腫瘍関連抗原の抗体または抗体断片である、請求項３に記載の複合体。
【請求項５】
前記抗体または抗体断片は、以下の（１）〜（８８）から選択される１種または複数の腫瘍関連抗原または細胞表面受容体に結合する抗体である、請求項３に記載の複合体：
（１）ＢＭＰＲ１Ｂ；
（２）Ｅ１６；
（３）ＳＴＥＡＰ１；
（４）０７７２Ｐ；
（５）ＭＰＦ；
（６）Ｎａｐｉ３ｂ；
（７）Ｓｅｍａ  ５ｂ；
（８）ＰＳＣＡ  ｈｌｇ；
（９）ＥＴＢＲ；
（１０）ＭＳＧ７８３；
（１１）ＳＴＥＡＰ２；
（１２）ＴｒｐＭ４；
（１３）ＣＲＩＰＴＯ；
（１４）ＣＤ２１；
（１５）ＣＤ７９ｂ；
（１６）ＦｃＲＨ２；
（１７）ＨＥＲ２；
（１８）ＮＣＡ；
（１９）ＭＤＰ；
（２０）ＩＬ２０Ｒ−α；
（２１）ブレビカン；
（２２）ＥｐｈＢ２Ｒ；
（２３）ＡＳＬＧ６５９；
（２４）ＰＳＣＡ；
（２５）ＧＥＤＡ；
（２６）ＢＡＦＦ−Ｒ；
（２７）ＣＤ２２；
（２８）ＣＤ７９ａ；
（２９）ＣＸＣＲ５；
（３０）ＨＬＡ−ＤＯＢ；
（３１）Ｐ２Ｘ５；
（３２）ＣＤ７２；
（３３）ＬＹ６４；
（３４）ＦｃＲＨ１；
（３５）ＩＲＴＡ２；
（３６）ＴＥＮＢ２；
（３７）ＰＳＭＡ−ＦＯＬＨ１；
（３８）ＳＳＴ；
（３８．１）ＳＳＴＲ２；
（３８．２）ＳＳＴＲ５；
（３８．３）ＳＳＴＲ１；
（３８．４）ＳＳＴＲ３；
（３８．５）ＳＳＴＲ４；
（３９）ＩＴＧＡＶ；
（４０）ＩＴＧＢ６；
（４１）ＣＥＡＣＡＭ５；
（４２）ＭＥＴ；
（４３）ＭＵＣ１；
（４４）ＣＡ９；
（４５）ＥＧＦＲｖＩＩＩ；
（４６）ＣＤ３３；
（４７）ＣＤ１９；
（４８）ＩＬ２ＲＡ；
（４９）ＡＸＬ；
（５０）ＣＤ３０−ＴＮＦＲＳＦ８；
（５１）ＢＣＭＡ−ＴＮＦＲＳＦ１７；
（５２）ＣＴ  Ａｇｓ−ＣＴＡ；
（５３）ＣＤ１７４（ルイス式Ｙ）−ＦＵＴ３；
（５４）ＣＬＥＣ１４Ａ；
（５５）ＧＲＰ７８−ＨＳＰＡ５；
（５６）ＣＤ７０；
（５７）幹細胞特異的抗原；
（５８）ＡＳＧ−５；
（５９）ＥＮＰＰ３；
（６０）ＰＲＲ４；
（６１）ＧＣＣ−ＧＵＣＹ２Ｃ；
（６２）Ｌｉｖ−１−ＳＬＣ３９Ａ６；
（６３）５Ｔ４；
（６４）ＣＤ５６−ＮＣＭＡ１；
（６５）ＣａｎＡｇ；
（６６）ＦＯＬＲ１；
（６７）ＧＰＮＭＢ；
（６８）ＴＩＭ−１−ＨＡＶＣＲ１；
（６９）ＲＧ−１／前立腺腫瘍標的ミンディン−ミンディン／ＲＧ−１；
（７０）Ｂ７−Ｈ４−ＶＴＣＮ１；
（７１）ＰＴＫ７；
（７２）ＣＤ３７；
（７３）ＣＤ１３８−ＳＤＣ１；
（７４）ＣＤ７４；
（７５）クローディン−ＣＬ；
（７６）ＥＧＦＲ；
（７７）Ｈｅｒ３；
（７８）ＲＯＮ−ＭＳＴ１Ｒ；
（７９）ＥＰＨＡ２；
（８０）ＣＤ２０−ＭＳ４Ａ１；
（８１）テネイシンＣ−ＴＮＣ；
（８２）ＦＡＰ；
（８３）ＤＫＫ−１；
（８４）ＣＤ５２；
（８５）ＣＳ１−ＳＬＡＭＦ７；
（８６）エンドグリン−ＥＮＧ；
（８７）アネキシンＡ１−ＡＮＸＡ１；
（８８）Ｖ−ＣＡＭ（ＣＤ１０６）−ＶＣＡＭ１。
【請求項６】
前記抗体または抗体断片は、システイン操作した抗体である、請求項２から５のいずれか１項に記載の複合体。
【請求項７】
抗体（Ａｂ）に対する薬物（Ｄ）の薬物積載量（ｐ）は、１〜約８の整数である、請求項２から６のいずれか１項に記載の複合体。
【請求項８】
ｐは、１、２、３、または４である、請求項７に記載の複合体。
【請求項９】
請求項２から８のいずれか１項に記載の薬物複合体化合物の混合物を含む組成物であって、抗体薬物複合体化合物の該混合物中の抗体あたりの平均薬物積載量は約１〜約８である、組成物。
【請求項１０】
治療に用いるための、請求項２から８のいずれか１項に記載の複合体または請求項９に記載の組成物。
【請求項１１】
治療対象の増殖性疾患を治療するのに用いるための、請求項２から８のいずれか１項に記載の複合体または請求項９に記載の組成物。
【請求項１２】
前記疾患は癌である、請求項１１に記載の複合体または組成物。
【請求項１３】
請求項２から８のいずれか１項に記載の複合体または請求項９に記載の組成物、および薬学的に許容可能な希釈剤、キャリア、または賦形剤を含む、医薬組成物。
【請求項１４】
治療上有効量の化学療法薬をさらに含む、請求項１３に記載の医薬組成物。
【請求項１５】
請求項２から８のいずれか１項に記載の複合体または請求項９に記載の組成物を調製する方法であって、細胞結合剤を、請求項１に定義されるとおりの化合物Ｃと反応させる工程を含む、方法。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
対象の頭皮上の毛髪保持を促進するための組成物であって、
前記組成物は、アスコルビン酸グルコシド、１つまたは複数のグリコール類、および、魚卵孵化タンパク質の混合物を含み（ここで、前記組成物中の他の化合物は殺生物剤でない）：
前記組成物は、
対象を、毛髪保持を高める必要があると特定するステップ；
１週間に１回から毎日２回までの頻度で、少なくとも２ヶ月の間、前記組成物を、前記対象の頭皮に適用するステップ；および
各適用後に、前記組成物を放置して前記頭皮上で乾かすステップ、
を含む方法に用いられ、
ここで、前記組成物は、前記対象の前記頭皮上の毛髪保持を促進するために効果的である、
組成物。
【請求項２】
請求項１の組成物であって、
前記組成物は、１，２−ヘキサンジオールおよびペンチレングリコールを含む水溶液である、
組成物。
【請求項３】
請求項２の組成物であって、
前記組成物は、褐藻類抽出物を含む、
組成物。
【請求項４】
請求項３の組成物であって、
前記組成物は、グルコシルヘスペリジンを含む、
組成物。
【請求項５】
対象の頭皮上の毛髪保持を促進するための組成物であって、
前記組成物は魚卵孵化タンパク質の混合物を含み：
前記組成物は、
対象を、毛髪保持を高める必要があると特定するステップ；
１週間に１回から毎日２回までの頻度で、少なくとも２ヶ月の間、前記組成物を前記対象の頭皮に適用し、各適用後に前記組成物を放置して前記頭皮上で乾かすステップ、
を含む方法に用いられ、
ここで、前記魚卵孵化タンパク質の総量は前記組成物の１０−８〜１総重量％を構成し、前記組成物は、前記対象の頭皮上の毛髪保持を高めるのに効果的である、
組成物。
【請求項６】
請求項５の組成物であって、
前記組成物は、グリコール類およびアスコルビン酸グルコシドを含む水性組成物である、
組成物。
【請求項７】
請求項６の組成物であって、
前記グリコール類は、ペンチレングリコールおよび１，２−ヘキサンジオールを含む、
組成物。
【請求項８】
請求項６の組成物であって、
前記組成物は、他の殺生物剤を含まない、
組成物。
【請求項９】
請求項８の組成物であって、
前記グリコール類は、ペンチレングリコールおよび１，２−ヘキサンジオールを含む、
組成物。
【請求項１０】
請求項１の組成物であって、
前記魚卵孵化タンパク質は、コリオリシンを含む、
組成物。
【請求項１１】
請求項５の組成物であって、
前記魚卵孵化タンパク質は、コリオリシンを含む、
組成物。
【請求項１２】
請求項５の組成物であって、
前記組成物は、グルコシルヘスペリジンを含む、
組成物。
【請求項１３】
請求項１の組成物であって、
前記組成物は、前記対象の頭皮に、毎日または一日おきに適用される、
組成物。
【請求項１４】
請求項５の組成物であって、
前記組成物は、前記対象の頭皮に、毎日または一日おきに適用される、
組成物。
【請求項１５】
請求項１の組成物であって、
前記組成物は、ポンプアトマイザーを備える容器から噴霧されることにより前記頭皮に適用される、
組成物。
【請求項１６】
請求項５の組成物であって、
前記組成物は、ポンプアトマイザーを備える容器から噴霧されることにより前記頭皮に適用される、
組成物。
【請求項１７】
請求項１の組成物であって、
前記組成物は、ミノキシジル、ポリフェノール、ジヒドロテストステロン阻害剤、またはグリーンピース新芽抽出物を含む、
組成物。
【請求項１８】
請求項５の組成物であって、
前記組成物は、ミノキシジル、ポリフェノール、ジヒドロテストステロン阻害剤、またはグリーンピース新芽抽出物を含む、
組成物。
【請求項１９】
請求項５の組成物であって、
前記組成物は、褐藻類抽出物を含む、
組成物。
【請求項２０】
対象の頭皮上の毛髪保持を促進するための組成物であって、
前記組成物は、ゾナーゼ、コリオリシン、および、１つまたは複数のグリコール類を含み：
前記組成物は、
対象を、毛髪保持を高める必要があると特定するステップ；
１週間に１回から毎日２回までの頻度で、少なくとも２ヶ月の間、前記組成物を、前記対象の頭皮に適用するステップ；および
各適用後に、前記組成物を放置して前記頭皮上で乾かすステップ、
を含む方法に用いられ、
ここで、前記組成物は、前記対象の前記頭皮上の毛髪保持を促進するために効果的である、
組成物。
【請求項２１】
請求項２０の組成物であって、
前記組成物は、褐藻類抽出物を含む、
組成物。
【請求項２２】
請求項２０の組成物であって、
前記組成物は、水溶液であり、クエン酸、クエン酸ナトリウム、アスコルビン酸グルコシド、グルコシルヘスペリジン、紅参抽出物、１，２−ヘキサンジオール、ペンチレングリコール、および、褐藻類抽出物を含む、
組成物。
【請求項２３】
対象の頭皮上の毛髪保持を促進するための組成物であって、
前記組成物は、以下から本質的になり：
水、
バッファー、
ｐＨ調整剤、
アスコルビン酸グルコシド、
グルコシルヘスペリジン、
紅参抽出物、
褐藻類抽出物、
グリコール類、および
孵化鮭卵由来の魚腹子タンパク質単離物；
前記組成物は、
対象を、毛髪保持を高める必要があると特定するステップ；
１週間に１回から毎日２回までの頻度で、少なくとも２ヶ月の間、前記組成物を、前記対象の頭皮に適用するステップ；および
各適用後に、前記組成物を放置して前記頭皮上で乾かすステップ、
を含む方法に用いられ、
ここで、前記組成物は、前記対象の前記頭皮上の毛髪保持を促進するために効果的である、
組成物。
【請求項２４】
請求項２３の組成物であって、
前記魚腹子タンパク質単離物は、ゾナーゼ、ロイコレクチン、および、コリオリシンを含む、
組成物。
【請求項２５】
請求項２３の組成物であって、
前記バッファーは、クエン酸／シトレートバッファーであり、前記ｐＨ調整剤は、水酸化ナトリウムである、
組成物。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
水性医薬製剤であって、２００〜１０００Ｕ／ｍＬのインスリングルリジンを含む、前記水性医薬製剤。
【請求項２】
水性医薬製剤であって、２００、２５０、３００、３５０、４００、４５０、５００、５５０、６００、６５０、７００、７５０、８００、８５０、９００、９５０、または１０００Ｕ／ｍｌの濃度でインスリングルリジンを含む、前記水性医薬製剤。
【請求項３】
２００〜５００Ｕ／ｍＬのインスリングルリジンを含む、請求項１に記載の水性医薬製剤。
【請求項４】
２７０〜３３０Ｕ／ｍＬのインスリングルリジンを含む、請求項３に記載の水性医薬製剤。
【請求項５】
３００Ｕ／ｍＬのインスリングルリジンを含む、請求項４に記載の水性医薬製剤。
【請求項６】
本質的に亜鉛を含まない、または２０μｇ／ｍＬ以下の亜鉛を含有する、請求項１〜５のいずれか１項に記載の水性医薬製剤。
【請求項７】
緩衝物質、防腐剤、および等張化剤から選択される少なくとも１つの物質を含む、請求項１〜６のいずれか１項に記載の水性医薬製剤。
【請求項８】
緩衝物質は、トロメタモールである、請求項７に記載の水性医薬製剤。
【請求項９】
３〜１０ｍｇ／ｍＬのトロメタモールを含む、請求項８に記載の水性医薬製剤。
【請求項１０】
防腐剤は、フェノールおよび／またはｍ−クレゾールである、請求項６〜８のいずれか１項に記載の水性医薬製剤。
【請求項１１】
１．５〜３．５ｍｇ／ｍＬのｍ−クレゾールおよび／または０．５〜３．０ｍｇ／ｍｌのフェノールを含む、請求項１０に記載の水性医薬製剤。
【請求項１２】
等張化剤は、グリセリンである、請求項８〜１１のいずれか１項に記載の水性医薬製剤。
【請求項１３】
５〜２６ｍｇ／ｍＬのグリセリンを含む、請求項１２に記載の水性医薬製剤。
【請求項１４】
本質的にリン酸塩を含まない、請求項１〜１３のいずれか１項に記載の水性医薬製剤。
【請求項１５】
アルギニンおよびメチオニンを含む群から選択されるアミノ酸を含む、請求項１〜１４のいずれか１項に記載の水性医薬製剤。
【請求項１６】
アミノ酸を１〜３０ｍｇ／ｍｌの濃度で含む、請求項１５に記載の水性医薬製剤。
【請求項１７】
非イオン性界面活性剤を含む、請求項１〜１６のいずれか１項に記載の水性医薬製剤。
【請求項１８】
非イオン性界面活性剤は、ポリソルベート２０、ポリソルベート８０およびポロキサマー１７１を含む群から選択される、請求項１７に記載の水性医薬製剤。
【請求項１９】
非イオン性界面活性剤は、１〜２００μｇ／ｍｌの濃度で存在する、請求項１８に記載の水性医薬製剤。
【請求項２０】
ｐＨは、３．５〜９．５の間である、請求項１〜１９のいずれか１項に記載の水性医薬製剤。
【請求項２１】
ｐＨは、６〜８．５の間である、請求項１〜２０のいずれか１項に記載の水性医薬製剤。
【請求項２２】
ｐＨは、７〜７．８の間である、請求項１〜２１のいずれか１項に記載の水性医薬製剤。
【請求項２３】
本質的に塩化物を含まない、請求項１〜２２のいずれか１項に記載の水性医薬製剤。
【請求項２４】
注射のためのものである、請求項１〜２３のいずれか１項に記載の水性医薬製剤。
【請求項２５】
インスリンポンプによる投与のためのものである、請求項１〜２３のいずれか１項に記載の水性医薬製剤。
【請求項２６】
１型真性糖尿病または２型真性糖尿病の治療において使用するためのものである、請求項１〜２５のいずれか１項に記載の水性医薬製剤。
【請求項２７】
１型真性糖尿病または２型真性糖尿病の治療の方法で使用するための、請求項１〜２４のいずれか１項に記載の水性医薬製剤であって、該方法は１型真性糖尿病または２型真性糖尿病を患う患者への該水性医薬製剤の投与を含む、前記水性医薬製剤。
【請求項２８】
製剤は、注射によって投与される、請求項２７に記載の水性医薬製剤。
【請求項２９】
製剤は、インスリンポンプによって投与される、請求項２７に記載の水性医薬製剤。
【請求項３０】
１型真性糖尿病または２型真性糖尿病の治療用の薬剤の製造のための、請求項１〜２３のいずれか１項に記載の製剤の使用。
【請求項３１】
医療装置であって、請求項１〜２６のいずれか１項に記載の製剤を含む、前記医療装置。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
水および１６から１８重量パーセントのコロイダルシリカ固体を含み、約４から約２０ｃｐｓの範囲の粘度および２６から４０％の範囲のＳ値を有し、７００から８５０ｍ２／ｇの範囲の比表面積を有する、水性コロイダルシリカ生成物。
【請求項２】
アルカリ金属をさらに含む、請求項１に記載の水性コロイダルシリカ生成物。
【請求項３】
前記アルカリ金属は、５０：１から５：１の範囲のシリカ対アルカリ金属のモル比を提供するのに十分な量で存在する、請求項２に記載の水性コロイダルシリカ生成物。
【請求項４】
前記水性コロイダルシリカ生成物は、約４から約１８ｃｐｓの範囲の粘度を有する、請求項１〜３のいずれか一項に記載の水性コロイダルシリカ生成物。
【請求項５】
前記水性コロイダルシリカ生成物は、１７から１８重量パーセントのコロイダルシリカ固体を含む、請求項１〜４のいずれか一項に記載の水性コロイダルシリカ生成物。
【請求項６】
前記水性コロイダルシリカ生成物は、１：２から４：１の範囲の、重量パーセントコロイダルシリカ固体対ｃｐｓ粘度の比を有する、請求項１〜３のいずれか一項に記載の水性コロイダルシリカ生成物。
【請求項７】
前記水性コロイダルシリカ生成物は、９から１１の範囲のｐＨを有する、請求項１〜６のいずれか一項に記載の水性コロイダルシリカ生成物。
【請求項８】
前記水性コロイダルシリカ生成物は、１０から１１の範囲のｐＨを有する、請求項１〜６のいずれか一項に記載の水性コロイダルシリカ生成物。
【請求項９】
水性コロイダルシリカ生成物を製造する方法であって、
第１に、第１の量のアルカリ金属ケイ酸塩を水および部分的に再生された陽イオン交換樹脂に攪拌しながら添加し、よって、第１の部分の水性コロイダルシリカ生成物を含む第１の中間組成物を形成させる工程であって、前記第１の中間組成物は、７０から２００カ氏度の範囲の温度および８から１４の範囲のｐＨを有し、前記第１の量のアルカリ金属ケイ酸塩は、前記第１の添加を１から４５分の間続けさせるのに十分な第１の速度で添加される、工程、
第２に、０から９０分後に、第２の量のアルカリ金属ケイ酸塩を前記第１の中間組成物に攪拌しながら添加し、よって、第２の部分の水性コロイダルシリカ生成物を含む第２の中間組成物を形成させる工程であって、前記第２の中間組成物は、７０から２００カ氏度の範囲の温度および９から１１の範囲のｐＨを有し、前記第２の量のアルカリ金属ケイ酸塩は、前記第２の添加を５から１２０分の間続けさせるのに十分な第２の速度で添加される、工程、
０分から２４時間後、前記第１および第２の部分の水性コロイダルシリカ生成物を前記第２の中間組成物から分離し、よって前記水性コロイダルシリカ生成物を生成させる工程、
を含み、
前記第１の量および前記第２の量は総量を占め、前記第１の量は、前記総量の６０から９５重量パーセントの範囲である、方法。
【請求項１０】
前記第１および第２の部分の水性シリカ生成物は、前記第２の中間組成物からスクリーンまたは溝付きパイプを使用する濾過によって分離される、請求項９に記載の方法。
【請求項１１】
前記第２の中間組成物は、７０から２００カ氏度で、０分から７５分の範囲の時間の間撹拌される、請求項９または１０に記載の方法。
【請求項１２】
前記第１の中間組成物は９から１１の範囲のｐＨを有する、請求項９〜１１のいずれか一項に記載の方法。
【請求項１３】
前記第１および第２の中間組成物は、１００から１６０カ氏度の範囲の温度を有する、請求項９〜１２のいずれか一項に記載の方法。
【請求項１４】
前記第１の速度は、前記第１の量のアルカリ金属ケイ酸塩の添加を２から１０分続けさせるのに十分である、請求項９〜１３のいずれか一項に記載の方法。
【請求項１５】
前記第２の速度は、前記第２の量のアルカリ金属ケイ酸塩の添加を１０から４０分続けさせるのに十分である、請求項９〜１４のいずれか一項に記載の方法。
【請求項１６】
セルロースシートを製造する方法であって、
０．０１から１．５重量パーセントのセルロース繊維を含むセルロース完成紙料を調製する工程、
前記セルロース完成紙料に、０．００００５から１．５重量パーセント／セルロース完成紙料中の繊維の乾燥重量のコロイダルシリカ固体の濃度を達成するのに十分な量の請求項１に記載の水性コロイダルシリカ生成物、および０．００１から５重量パーセント／セルロース完成紙料中の繊維の乾燥重量の水溶性ポリマ凝集剤の濃度を達成するのに十分な量の水溶性ポリマ凝集剤を添加する工程であって、前記水溶性ポリマ凝集剤は５００，０００から３０００万ダルトンの範囲の分子量を有する、工程、ならびに
前記セルロース完成紙料を脱水し、セルロースシートを得る工程、
を含む、方法。
【請求項１７】
前記セルロース完成紙料に添加される前記水性コロイダルシリカ生成物の量は、約０．００５から約１重量パーセント／前記セルロース完成紙料中の繊維の乾燥重量のコロイダルシリカ固体濃度を達成するのに十分である、請求項１６に記載の方法。
【請求項１８】
前記コロイダルシリカ生成物は、バッチ水性コロイダルシリカ生成物に対し、約０．５から約０．８の範囲の第１通過灰分歩留まり置換率を有する、請求項１６または１７に記載の方法。
【請求項１９】
前記コロイダルシリカ生成物は、微小粒子を前記セルロース完成紙料に、約０．９から１．２ポンド／トンセルロース完成紙料中の繊維の乾燥重量の濃度で投与した場合、バッチ水性コロイダルシリカ生成物に対し、少なくとも９０％の第１通過灰分歩留まりを達成する、請求項１６または１７に記載の方法。
【請求項２０】
カチオン性デンプンが、前記セルロース完成紙料に、０．００５から５重量パーセントのカチオン性デンプン／セルロース完成紙料中の繊維の乾燥重量のカチオン性デンプンの濃度を達成するのに十分な量で添加される、請求項１６〜１９のいずれか一項に記載の方法。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
離散カーボンナノチューブであって、前記カーボンナノチューブの０．５重量％から８重量％の重量範囲の酸素部分を含む前記離散カーボンナノチューブと、
少なくとも１種の界面活性剤と、
を含み、
Ｖが体積分率であり、Ｌがナノメートルでの前記カーボンナノチューブの平均長さであり、Ｄがナノメートルでの前記カーボンナノチューブの平均径である場合、０．６≦Ｖ×（Ｌ／Ｄ）≦３であり、粘度が２５℃で３ポアズ未満である均質水性流体。
【請求項２】
前記界面活性剤の少なくとも１種が、前記離散カーボンナノチューブに少なくとも部分的に結合されている、請求項１に記載の流体。
【請求項３】
離散カーボンナノチューブの大部分が、端部が開放している、請求項１に記載の流体。
【請求項４】
前記カーボンナノチューブを作製する際の残留触媒が、前記カーボンナノチューブの２重量％未満である、請求項１に記載の流体。
【請求項５】
炭素質材料群から選択された少なくとも１種の他の種をさらに含む、請求項１に記載の流体。
【請求項６】
前記界面活性剤が、１：０．２から１：３の界面活性剤重量比カーボンナノチューブを得るために適した量で存在する、請求項１に記載の流体。
【請求項７】
前記界面活性剤が、前記流体内で当該流体の重量に対して少なくとも０．５重量％まで可溶性であるポリマーを含む、請求項１に記載の流体。
【請求項８】
前記界面活性剤が、好ましくは２００ｋＤａ未満の分子量を有する、酸素部分および／または硫黄部分をさらに含むポリマーを含む、請求項１に記載の流体。
【請求項９】
前記界面活性剤が、ポリビニルアルコールまたはポリビニルアルコール共重合体を含み、ビニル単位の少なくとも５０モル％がヒドロキシル基を含む、請求項１に記載の流体。
【請求項１０】
前記界面活性剤がポリスチレンスルホン酸を含む、請求項１に記載の流体。
【請求項１１】
温度安定性を有し、０℃から６０℃で流動可能な粘度を維持する、請求項１に記載の流体。
【請求項１２】
前記界面活性剤が生体適合性である、請求項１に記載の流体。
【請求項１３】
前記離散カーボンナノチューブの１０％以下が、１００から２００のＬ／Ｄを含み、前記離散カーボンナノチューブの約３０％以上が、４０から８０のＬ／Ｄを含む、請求項１に記載の流体。
【請求項１４】
前記Ｌ／Ｄの分布が非対称であり、それは、離散カーボンナノチューブの比較的わずかな割合が特定のＬ／Ｄを有し、より多くの量が別のアスペクト比分布を含むことを意味する、請求項１に記載の流体。
【請求項１５】
請求項１に記載の流体を含む鉛酸電気活性ペースト。
【請求項１６】
請求項１に記載の流体を含むリチウムイオン電気活性ペースト。
【請求項１７】
請求項１に記載の流体を含む光起電性光活性ペースト。
【請求項１８】
請求項１に記載の流体を含む電解質。
【請求項１９】
請求項１に記載の流体を含むインク。
【請求項２０】
離散カーボンナノチューブおよび界面活性剤を含む水性均質流体を得るための方法であって、前記流体における前記カーボンナノチューブの体積分率Ｖが、Ｌがナノメートルでの前記カーボンナノチューブの平均長さであり、Ｄがナノメートルでの前記カーボンナノチューブの平均径である場合、式０．６≦Ｖ×（Ｌ／Ｄ）≦３から求められた範囲内にあり、前記水性流体の粘度が２５℃で３ポアズ未満である、方法であり、
ａ）少なくとも１種の水性流体において、２重量％〜５０重量％の離散カーボンナノチューブを含む混合物を形成するステップであって、前記離散カーボンナノチューブが、前記離散カーボンナノチューブの０．５重量％から８重量％の重量範囲の酸素部分を含む表面を有する、ステップと、
ｂ）１：０．２から１：３の界面活性剤重量比カーボンナノチューブを得るために適した量で、前記カーボンナノチューブ混合物に少なくとも１種の界面活性剤を添加するステップと、
ｃ）任意選択的に、前記流体に溶液として前記界面活性剤を添加するステップと、
ｄ）前記水性流体のｐＨを４と９との間に調整するステップと、
ｅ）任意選択的に、前記カーボンナノチューブの体積濃度を追加の水性流体で調整するステップと、
ｆ）温度を３５℃未満で維持しながら前記混合物を撹拌するステップと、
を含む方法。
【誤訳訂正書】
【提出日】平成29年8月17日(2017.8.17)
【誤訳訂正１】
【訂正対象書類名】明細書
【訂正対象項目名】００９２
【訂正方法】変更
【訂正の内容】
【００９２】
一部の実施形態では、焼結コーティングは、表面構造それ自体よりも、広い範囲の入射光角度にわたって高い光透過率を有する。理論に束縛されるものではないが、多孔性のナノシリカは、勾配屈折率（多孔性は表面においてより高い）により更なる反射防止をもたらすと考えられる。更に、プリズム傾斜の臨界角を超える入射光角度においても、勾配のある屈折率を有する多孔質ナノシリカコーティングによりもたらされる屈折の減少により、光透過が増加すると考えられている。
【誤訳訂正２】
【訂正対象書類名】特許請求の範囲
【訂正対象項目名】全文
【訂正方法】変更
【訂正の内容】
【特許請求の範囲】
【請求項１】
高分子反射防止構造化表面と、この反射防止構造化表面の上のシリカナノ粒子の多孔質ネットワークを含む酸焼結体コーティングと、を有する透明高分子基材を含む物品であって、前記透明高分子基材の基材表面が前記高分子反射防止構造化表面であり、前記シリカナノ粒子が隣接するシリカナノ粒子に結合しており、前記透明高分子基材が、前記構造化表面が設けられている面とは反対の支持面に結合された水分バリア層と、を更に含む、物品。
【請求項２】
前記シリカナノ粒子の多孔質ネットワークが三次元ネットワークである、請求項１に記載の物品。
【請求項３】
前記酸焼結体コーティングが、前記反射防止構造化表面に対するコンフォーマルコーティングである、請求項１又は２に記載の物品。
【請求項４】
前記ナノ粒子が最大で４００ナノメートルの平均粒径を有する、請求項１〜３のいずれか一項に記載の物品。
【請求項５】
前記反射防止構造化表面が頂部と谷部と、頂部から谷部までの平均高さと、を有し、ここで、前記酸焼結体コーティングが平均厚さを有し、前記酸焼結体コーティングの平均厚さが前記頂部から谷部までの平均高さの最大で半分である、請求項１〜４のいずれか一項に記載の物品。